(57)【要約】【課題】発光体に発光素子を用いた場合でも暗部の発生を極力抑制でき、しかも透明材パネルの発光色を容易に変更できる乗客コンベア用欄干照明装置を提供する。【解決手段】この欄干照明装置では、手摺用枠体８の内部で発光体９が照射方向を横向きとするように固定専用ホルダ１０で固定されて設けられ、反射板１１が装置内部上方の発光体９による照射光の照射側に設けられると共に、照射光の一部を散光して装置内部下方に設けられる発光体９を保護するための照明保護カバー５を発光させ、且つ照射光の他部を集光して立設される透明材パネル１３の端面に入射させて透明材パネル１３を発光させられるように湾曲した形状を持っている。透明材パネル１３の発光色を変更したい場合には、発光体９の発光ダイオード（ＬＥＤ）の色を白色から有色にするか、或いは発光体９と透明材パネル１３との間に介在されたフィルム１２の色を透明から有色にすれば良い。【選択図】図１
2015209304.tif 000002
【特許請求の範囲】
【請求項１】
乗客コンベアの移動手摺の下方に設置されて欄干を照射する光源となる発光体を備えると共に、当該発光体による照射光を反射する反射板、並びに当該反射板で反射された反射光を入射して発光する透明材パネルを備えた乗客コンベア用欄干照明装置において、
前記発光体は、照射方向を横向きとするように固定専用ホルダで固定されて設けられ、
前記反射板は、装置内部上方の前記発光体による前記照射光の照射側に設けられると共に、当該照射光の一部を散光して装置内部下方に設けられる当該発光体を保護するための照明保護カバーを発光させ、且つ当該照射光の他部を集光して立設される前記透明材パネルの端面に入射させて当該透明材パネルを発光させられるように湾曲した形状を持つことを特徴とする乗客コンベア用欄干照明装置。
【請求項２】
請求項１記載の乗客コンベア用欄干照明装置において、
前記発光体と前記透明材パネルとの間に有色フイルムを介在させて配置したことを特徴とする乗客コンベア用欄干照明装置。
【請求項３】
請求項１又は２記載の乗客コンベア用欄干照明装置において、
前記発光体は、発光素子としての発光ダイオードであることを特徴とする乗客コンベア用欄干照明装置。
【請求項４】
請求項３記載の乗客コンベア用欄干照明装置において、
前記発光ダイオードは有色であることを特徴とする乗客コンベア用欄干照明装置。
【発明の詳細な説明】
【技術分野】
【０００１】
本発明は、エスカレータや動く歩道等の乗客コンベアの移動手摺の下方に設置されて欄干を照射する光源となる発光体を備えた乗客コンベア用欄干照明装置に関する。
【背景技術】
【０００２】
近年、この種の乗客コンベアでは、乗客の踏段に対する安全な乗り降りを図るため、移動手摺の下方に欄干照明装置を設置し、欄干照明装置に備えられる光源となる発光体からの照射光により欄干を照射して踏段の位置を容易に視認できるようにする手法が普及している。ところが、係る欄干照明装置では、発光体に対する継ぎ目となる継部に暗部が発生することがあるため、暗部の発生を軽減させるための技術的対策が提案されている。
【０００３】
このような暗部の発生を低減させるための周知技術として、棒状蛍光灯の端部間の暗さを少なくして見栄えをよくした「乗客コンベアの照明装置」（特許文献１参照）、照明カバーから内部の光源の存在を目視できることがなく、しかも照度班の発生を抑制することができる「乗客コンベア」（特許文献２参照）、乗客の不安を完全に取り除き、しかも安全性及び意匠の面からも好ましい「エスカレータ」（特許文献３参照）が挙げられる。
【先行技術文献】
【特許文献】
【０００４】
【特許文献１】特開昭６２−２８５８９３号公報
【特許文献１】特開２００６−３２１５８５号公報
【特許文献３】特開２００４−２０３６１９号公報
【発明の概要】
【発明が解決しようとする課題】
【０００５】
上述した特許文献１記載の技術は、反射板を利用して発光体としての棒状蛍光灯による照射光の照射角を変えて間接照明として使用する構造であり、特許文献２記載の技術は発光素子による光源と光源固定部とが重なることで発生する暗部を軽減するため、反射板として機能する光分散手段で反射光を分散させて照度班の発生を抑制する構造であり、引用文献３記載の技術は発光体による照射光を発光体と隣り合わせに設けられているガラスパネルに照射し、ガラスパネル自体を発光させる手法として、冷陰極蛍光ランプによる光源によってガラスパネルを発光させる構造であるが、特許文献１や引用文献３の場合には発光体に蛍光灯を使用しているために寿命が短く、取り替えに伴う脱着作業が煩雑となるという問題がある。
【０００６】
そこで、蛍光灯を用いる代わりに引用文献２のように発光素子としての発光ダイオード（ＬＥＤ）を用いれば、照明の発光寿命が延び、発光体の取り替え回数を減らし、照明の消費電力を低減し得るが、こうした場合には発光ダイオードを固定するための専用のホルダに繋げて使用することになり、基本構造は発光ダイオードの取り替えの脱着作業を考慮し、蛍光灯の場合と同様な取り付け構造を採用することになるため、隣り合う発光ダイオード同士の継部には蛍光灯を用いた場合と同様に暗部が発生する可能性がある。また、発光ダイオードの光源は連続でなく、点状の光源が連なった形状であるため、専用ホルダと光源とが重なる場合があり、光源が重ならないように光源の取付位置を微調整した場合でも、僅かに重なる部分で暗部が発生するため、照明装置としての意匠上に問題がある。
【０００７】
更に、乗客コンベア用欄干照明装置の発光色は、発光体が発光ダイオードの場合、専用の調光器を使用することで乗客コンベア本体を設置した後でも容易に変更できるが、乗客コンベアの透明材パネル（無色透明ガラスパネル）に対して発光ダイオードによる照射光を反射する反射板で反射された反射光を入射して有色で発光させるように変更することが必要になった場合、有色ガラスパネルを作製して透明材パネルと交換するか、或いは乗客コンベアの踏段側でなく、建屋側の透明材パネル表面に有色フィルムを貼り付けることで対応するが、乗客コンベアを設置した後では、透明材パネルを有色ガラスパネルに交換する場合は乗客コンベアの移動手摺の取り外しを含む欄干全体の解体作業が必要となり、また有色フィルムを透明材パネル表面に貼り付ける場合は広いパネルにフィルムを気泡や重なりを発生させないように貼り付ける熟練技術が必要となるため、透明材パネルの発光色を容易に変更することができないという難点がある。
【０００８】
本発明は、このような問題点を解決すべくなされたもので、その技術的課題は、発光体に発光素子を用いた場合でも暗部の発生を極力抑制でき、しかも透明材パネルの発光色を容易に変更することができる乗客コンベア用欄干照明装置を提供することにある。
【課題を解決するための手段】
【０００９】
上記技術的課題を解決するため、本発明は、乗客コンベアの移動手摺の下方に設置されて欄干を照射する光源となる発光体を備えると共に、当該発光体による照射光を反射する反射板、並びに当該反射板で反射された反射光を入射して発光する透明材パネルを備えた乗客コンベア用欄干照明装置において、発光体は、照射方向を横向きとするように固定専用ホルダで固定されて設けられ、反射板は、装置内部上方の発光体による照射光の照射側に設けられると共に、当該照射光の一部を散光して装置内部下方に設けられる当該発光体を保護するための照明保護カバーを発光させ、且つ当該照射光の他部を集光して立設される前記透明材パネルの端面に入射させて当該透明材パネルを発光させられるように湾曲した形状を持つことを特徴とする。
【発明の効果】
【００１０】
本発明の乗客コンベア用欄干照明装置によれば、上記構成により、発光体に発光ダイオードを用いた場合でも暗部の発生を極力抑制でき、しかも透明材パネルの発光色を容易に変更することができる。上記した以外の課題、構成及び効果は、以下の実施形態の説明により明らかにされる。
【図面の簡単な説明】
【００１１】
【図１】本発明の実施例に係る乗客コンベア用欄干照明装置が乗客コンベアに具備された場合の基本構成を示した断面図である。
【図２】図１に示す乗客コンベア用欄干照明装置を備えた乗客コンベアの全体的な外観構成を示した側面図である。
【発明を実施するための形態】
【００１２】
以下に、本発明の乗客コンベア用欄干照明装置について、実施例を挙げ、図面を参照して詳細に説明する。
【実施例】
【００１３】
図１は、本発明の実施例に係る乗客コンベア用欄干照明装置が乗客コンベアに具備された場合の基本構成を示した断面図である。また、図２は、乗客コンベア用欄干照明装置を備えた乗客コンベア１の全体的な外観構成を示した側面図である。因みに、図１に示す基本構成は図２中に示すＡ−Ａ矢印の切れ線向きの断面で破断した場合の構造に対応するものである。
【００１４】
図２を参照すれば、乗客コンベア１は、異なる階の床３Ａ、３Ｂとの間に設けられたエスカレータである場合を示しており、複数個が連結される踏段４と、これらの踏段４の両側に立設された欄干２と、欄干２の周縁に設置された移動手摺６と、を備えて構成されている。このうち、移動手摺６の下方には図１を参照して後文で説明する欄干照明装置が設置され、その光源となる発光体が欄干２を照射する機能を持つが、図１中では装置内部下方に設けられて発光体を保護するための保護カバー５が示されている。
【００１５】
また、図１を参照すれば、移動手摺６の下方には摺動案内部材７が手摺用枠体８に固定されており、摺動案内部材７の上部の鍔部に対して移動手摺６が取り付けられている。欄干照明装置は、手摺用枠体８の内部に設けられた光源となる発光体９、及びこの発光体９による照射光を反射する湾曲した形状の反射板１１を含んでいる。ここでの発光体９は、発光素子としての発光ダイオード（ＬＥＤ）を適用できるもので、手摺用枠体８の垂直部に所定の間隔で設けられた固定専用ホルダ１０によって手摺用枠体８に対して固定されている。これらの部材は、手摺用枠体８の下部に設けられた保護カバー５によって保護されている。保護カバー５の材質には、白色アクリル等を用いる場合を例示できる。また、手摺用枠体８の内部の発光体９の照射側の対向する箇所には、立設された透明材パネル１３の端部が反射板１１の表面で反射された反射光を端面で入射して発光可能なように反射板１１の下方に挿入される配置で取り付けられている。透明材パネル１３の材質には、ガラスパネルを用いる場合を例示できる。更に、発光体９と透明材パネル１３との間であって、透明材パネル１３の上方に設けられた反射板１１の表面に到達するように透明材パネル１３の端部における照射光側の手前位置にフィルム１２を介在させて配置している。
【００１６】
実施例に係る乗客コンベア用欄干照明装置の基本構成は、上述した発光体９、固定専用ホルダ１０、反射板１１、保護カバー５、透明材パネル１３、及びフィルム１２を含むものである。欄干照明装置の特徴的機能は、手摺用枠体８の内部で発光体９が照射方向を横向きとするように固定専用ホルダ１０で固定されて設けられ、反射板１１が装置内部上方の発光体９による照射光の照射側に設けられると共に、照射光の一部を散光して装置内部下方に設けられる発光体９を保護するための照明保護カバー５を発光させ、且つ照射光の他部を集光して立設される透明材パネル１３の端面に入射させて透明材パネル１３を発光させられるように湾曲した形状を持っていることである。
【００１７】
図１を参照し、係る欄干照明装置における照射光の挙動による照明状況を説明すれば、発光体９から横方向に照射される照射光は、直接的に保護カバー５に向かうものもあるが、大半は湾曲した形状の反射板１１における照射側手前に存在する凸状面で照射され、反射板１１の凸状面で拡散された反射光が保護カバー５に向かうため、光源である発光体９と固定専用ホルダ１０とが重なることで発生する暗部や隣り合う発光体９の継部に発生する暗部は反射板１１からの反射光で打ち消される。この結果、保護カバー５においては均一な照度が得られる。また、発光体９から照射される照射光の水平方向のものは、フィルム１２を透過して反射板１１における透明材パネル１３の上方の照射側奥に存在する凹状面まで到達し、反射板１１の凹状面で集光されて透明材パネル１３の端面に入射され、透明材パネル１３に入射された光は透明材パネル１３内を反射しながら下方へ導かれる。この結果、透明材パネル１３においては面状の発光状態が得られる。
【００１８】
ところで、この欄干照明装置において、透明材パネル１３の発光色を変更したい場合には、発光体９の発光ダイオード（ＬＥＤ）の色を通常の白色から異なる態様の有色にするか、或いはフィルム１２の色を通常の透明色から異なる態様の有色にすれば良く、何れの場合にも保護カバー５を取り外すだけで該当する部材を容易に交換することができる。例えばフィルム１２を交換して異なる有色の形態にして透明材パネル１３の発光色を変更すると、発光体９からの照射光は有色のフィルム１２を透過した後に反射板１１の凹状面に当たり、凹状面で集光されてフィルム１２と同色となった反射光が透明材パネル１３の端面に入射されることにより、透明材パネル１３をフィルム１２と同色で発光させることができる。
【００１９】
尚、上述した実施例に係る乗客コンベア用欄干照明装置では、フィルム１２を設ける位置を発光体９と透明材パネル１３との間であって、透明材パネル１３の端部における照射光側の手前位置とした場合を説明したが、図１に示した形態のものに限定されない。例えば透明材パネル１３の上方の反射板１１における凹状面又はその付近にフィルム１２を設けるようにしても良く、そうした場合にも同等な効果が得られる。また、保護カバー５と透明材パネル１３とを同色で発光させたい場合には、発光体９の照射方向の直ぐ手前に異なる態様の有色のフィルム１１を設けても良い。このように、本発明の乗客コンベア用欄干照明装置は、細部構成を種々変更できるため、実施例で開示した形態に限定されない。
【符号の説明】
【００２０】
１  乗客コンベア
２  欄干
３Ａ、３Ｂ  床
４  踏段
５  保護カバー
６  移動手摺
７  摺動案内部材
８  手摺用枠体
９  発光体
１０  固定専用ホルダ
１１  反射板
１２  フィルム
１３  透明材パネル
【図１】
2015209304.tif 000003
【図２】
2015209304.tif 000004